(57)【特許請求の範囲】
【請求項１】
被洗髪者の頭部を挿入するシンクと、
このシンクに挿入された被洗髪者の頭部に洗浄水を噴射する洗浄水噴射手段と、
上記シンクの上方を覆って、上記シンクからの洗浄水の飛散を防止するためのフードと、
上記シンクの外方であって上記シンクに対する被洗髪者の頭部の挿入方向に関して左右一方に偏った開位置と、上記シンクの上方を覆う閉位置との間で開閉可能に上記フードを保持するヒンジ機構とを含み、
上記ヒンジ機構は、上記閉位置にあるフードの上記挿入方向手前側の端部を上方に持ち上げて、当該フードを上記シンクの後方へ移動させ、さらに、そのフードを上記左右一方に偏った位置へ移動させることにより、上記フードを上記閉位置から上記開位置に変位させることができるように保持するものであることを特徴とする自動洗髪機。
【請求項２】
被洗髪者の頭部を挿入するシンクと、
このシンクに挿入された被洗髪者の頭部に洗浄水を噴射する洗浄水噴射手段と、
上記シンクの上方を覆って、上記シンクからの洗浄水の飛散を防止するためのフードと、
上記シンクの外方であって上記シンクに対する被洗髪者の頭部の挿入方向に関して左右一方に偏った開位置と、上記シンクの上方を覆う閉位置との間で開閉可能に上記フードを保持するヒンジ機構とを含み、
上記ヒンジ機構は、上記閉位置にあるフードの上記挿入方向手前側の端部を上方に持ち上げて、当該フードを上記シンクの後方へ移動させ、さらに、そのフードを上記挿入方向に関して左右一方に倒すことにより、上記フードを閉位置から開位置に変位させることができるように保持するものであることを特徴とする自動洗髪機。
【発明の詳細な説明】
【０００１】
【発明の属する技術分野】
この発明は、温水、シャンプー液が混ざった温水、トリートメント液が混ざった温水などの洗浄水を被洗髪者の頭部および髪に噴射して洗髪を行う自動洗髪機に関する。
【０００２】
【従来の技術】
たとえば、理髪店や美容院などに設置されて、被洗髪者の頭部および髪に洗浄水（温水、シャンプー液が混ざった温水、トリートメント液が混ざった温水など）を噴射して自動洗髪を行う自動洗髪機が知られている。
このような自動洗髪機には、碗状のシンクが備えられていて、自動洗髪は、そのシンク内に被洗髪者の頭部が仰向けに配置された状態で、シンク内に配置されたノズルから被洗髪者の頭部および髪に洗浄水が噴射されることにより達成される。また、シンクに関連して、洗浄水の外部への飛散を防止するためのフードが設けられていて、自動洗髪の際には、そのフードでシンクの上方を覆うようになっている。さらに、シンクの周囲には、シンクの上端縁から側方（シンクに対する被洗髪者の挿入方向に関して側方）へ張り出した張出部が形成されており、この張出部には、自動洗髪に関する種々の設定を行うために操作される操作パネルが配置されている。
【０００３】
【発明が解決しようとする課題】
自動洗髪の後で仕上げのために、理髪師または美容師などのオペレータが、シンク近傍に配置されたハンドシャワーを用いて手動で洗髪することがある。この際、上述の構成では、フードや操作パネル（張出部）が邪魔になり、オペレータが作業しにくいという問題があった。
すなわち、フードは、シンクの後方に水平に配置された回転軸を中心として回動自在に支持されて、シンクの後方上部で保持された開状態とシンクの上方を覆う閉状態とに開閉可能に設けられているため、フードを開けて行う手動洗髪の際に、そのフードが邪魔になり、被洗髪者の頭頂部が洗いにくかった。また、シンクの側方には操作パネルがあるので、シンクから離れた位置から手を伸ばして作業を行わなければならなかった。
【０００４】
そこで、この発明の目的は、上述の技術的課題を解決し、オペレータの作業性が向上された自動洗髪機を提供することである。
【０００５】
【課題を解決するための手段および発明の効果】
上記の目的を達成するための本願発明は、被洗髪者の頭部を挿入するシンクと、このシンクに挿入された被洗髪者の頭部に洗浄水を噴射する洗浄水噴射手段と、上記シンクの上方を覆って、上記シンクからの洗浄水の飛散を防止するためのフードと、上記シンクの外方であって上記シンクに対する被洗髪者の頭部の挿入方向に関して左右一方に偏った開位置と、上記シンクの上方を覆う閉位置との間で開閉可能に上記フードを保持するヒンジ機構とを含み、上記ヒンジ機構は、上記閉位置にあるフードの上記挿入方向手前側の端部を上方に持ち上げて、当該フードを上記シンクの後方へ移動させ、さらに、そのフードを上記左右一方に偏った位置（上記シンクの斜め後方の位置）へ移動させることにより、上記フードを上記閉位置から上記開位置に変位させることができるように保持するものであるか、または、上記閉位置にあるフードの上記挿入方向手前側の端部を上方に持ち上げて、当該フードを上記シンクの後方へ移動させ、さらに、そのフードを上記挿入方向に関して左右一方に倒すことにより、上記フードを閉位置から開位置に変位させることができるように保持するものである。
【０００６】
この発明によれば、フードの開位置が、シンクの外方であって被洗髪者の頭部の挿入方向に関して左右一方に偏った位置に設定されているので、そのフードの開位置とは反対側から手動洗髪などを行えば、フードが作業の邪魔になることがない。ゆえに、手動洗髪では、被洗髪者の頭頂部も上手く洗うことができる。
【００１７】
【発明の実施の形態】
以下では、この発明の実施の形態を、添付図面を参照して詳細に説明する。
図１および図２は、この発明の一実施形態に係る自動洗髪機の使用状態を示す図であり、それぞれ側方から見た状態および上方から見た状態を示している。この自動洗髪機１は、被洗髪者の頭部を仰向けの状態でシンク２内に挿入した状態で、シンク２内に配置されたノズルから被洗髪者Ｈの頭部および髪に洗浄水（温水、シャンプー液が混ざった温水、トリートメント液が混ざった温水など）を噴射することにより自動洗髪を行うものであり、シンク２を保持するシンク保持部３と、被洗髪者Ｈが座るための椅子４を保持する椅子保持部５とを備えている。
【００１８】
シンク保持部３と椅子保持部５とは、互いに着脱可能に構成されており、たとえば、シンク保持部３と椅子保持部５とを別々に理髪店などに搬入して、その理髪店などにおいて、シンク保持部３と椅子保持部５とを結合させることにより自動洗髪機１を組み上げることができるようになっている。シンク保持部３と椅子保持部５とが結合された状態で、シンク保持部３と椅子保持部５とに外観上の一体性を持たせるために、シンク保持部３の側面３Ａ，３Ｂと椅子保持部５の側面５Ａ，５Ｂとの間には、これらの側面をほぼ面一に連結する外装パネル３２が取り付けられている。
【００１９】
椅子保持部５の右側面（図１における手前側の面）５Ａの後側上部には、自動洗髪に関する種々の設定を行うために操作される操作パネル３０が配置されている。具体的には、椅子４の左右両側には、被洗髪者Ｈが腕を載せるためのアームレスト６が設けられていて、これらのアームレスト６が椅子保持部５の側面５Ａ，５Ｂを構成している。そして、右側（シンク２に対する被洗髪者Ｈの頭部の挿入方向に関して右側）のアームレスト６の後側上部には、椅子保持部５の右側面５Ａ（鉛直面）に対して所定の角度（たとえば、３０〜６０度）で傾斜した傾斜面６Ａが形成されていて、この傾斜面６Ａに操作パネル３０が配置されている。これにより、操作パネル３０は、アームレスト６に載せられた被洗髪者Ｈの腕で覆い隠されることがなく、また、その表面（操作ボタンなどが配置された面）を鉛直面に対して斜め上方に向けた状態に設けられている。ゆえに、シンク２の右側に立って操作を行うオペレータは、操作パネル３０を操作しやすい。また、シンクの周囲に張出部を設け、この張出部に操作パネルを配置した従来構成に比べて、オペレータは、シンク２により近づいた位置に立って、自動洗髪の後の仕上げのための手動洗髪を行うことができ、その洗髪作業がしやすい。さらには、操作パネル３０に洗浄水がかかるおそれがないから、操作パネル３０の防水構造を簡素化できるという利点もある。
【００２０】
また、シンク２に関連して、シンク２の上方を開放する開状態とシンク２の上方を覆う閉状態とに開閉可能なフード７が設けられている。フード７は、ドーム状（半球状）に形成されており、その前部には、被洗髪者Ｈの頭部がシンク２内に挿入された状態でフード７が閉じられた時に、被洗髪者Ｈの顔面を露出させるための切除部７１が形成されている。この切除部７１の周縁には、切除部７１から露出した被洗髪者Ｈの顔面に弾力的に接するフェイスシールと呼ばれる柔軟なシール部材が取り付けられており、このシール部材によって、シンク２内から外部への洗浄水の飛散が防止され、洗浄水の水滴が被洗髪者Ｈの顔面にかかることが防止される。
【００２１】
図３は、自動洗髪機１の内部構成を簡略化して示す断面図である。シンク２は、例えば上方が開放された碗状の部材であって、その上縁の手前側には、被洗髪者Ｈの首を載せるために滑らかに湾曲したネック台２Ａが形成されている。
シンク２内には、被洗髪者Ｈの頭部および髪に向けて洗浄水（温水、シャンプー液が混ざった温水、トリートメント液が混ざった温水など）を噴射するためのノズルリンク８が設けられている。このノズルリンク８は、例えば略半円弧状に湾曲された管状の部材であって、その一端部を中心に回動可能に取り付けられている。ノズルリンク８には、図４に示すように、３つのノズル８１Ｌ，８１Ｃ，８１Ｒが設けられていて、ノズルリンク８内に送られてきた洗浄水は、その３つのノズル８１Ｌ，８１Ｃ，８１Ｒから噴射される。ノズルリンク８を回動させつつ、３つのノズル８１Ｌ，８１Ｃ，８１Ｒから洗浄水を噴射させることにより、被洗髪者Ｈの頭部全体に良好に洗浄水を供給できるようになっている。
【００２２】
３つのノズル８１Ｌ，８１Ｃ，８１Ｒのうちの左右のノズル８１Ｌ，８１Ｒは、洗浄水を均等分布（洗浄水の水流がほぼ一様）で噴射するように設計されており、中央のノズル８１Ｃは、図５に示すように、噴射する洗浄水の勢い（水流）が中央に比べて両サイドで強くなるような噴射パターンとなるように設計されている。３つのノズル８１Ｌ，８１Ｃ，８１Ｒがすべて洗浄水を均等分布で噴射する構成であれば、ノズルリンク８から相対的に近い後頭部ＨＢに当たる水流は強く、ノズルリンク８から相対的に遠い耳近傍の部分ＨＥに当たる水流は弱くなる。これに対し、中央のノズル８１Ｃから噴射される洗浄水が図５に示すような噴射パターンであれば、ノズルリンク８から相対的に遠い耳近傍の部分ＨＥにも強い水流を当てることができる。ゆえに、耳近傍の部分ＨＥを良好に洗浄でき、その部分ＨＥに洗浄水が当たっていることを被洗髪者Ｈに実感させることができる。
【００２３】
図３を再び参照して、シンク２の後側には、ハンドシャワー１６が配置されていて、オペレータ（美容院の従業者など）は、このハンドシャワー１６を用いて手動で洗髪を行うことができるようになっている。
また、シンク２の下方には、ノズルリンク８に向けて洗浄水を送るための送水機構９が配置されている。また、送水機構９の手前側には、洗浄水として用いる温水を貯めておくための貯湯タンク１０が配置されている。この貯湯タンク１０に貯めておくための温水は、機外の水道設備等に至る給水管１１を介して貯湯タンク１０内に送り込まれるようになっている。
【００２４】
送水機構９は、貯湯タンク１０内に接続された接続管１２を介して温水を汲み込むためのポンプ１３を含む。接続管１２の途中には、図示しないシャンプー容器やトリートメント容器に収容されたシャンプー液およびトリートメント液が流入できるようになっていて、これらのシャンプー液およびトリートメント液の流入量が適当に調節されることにより、ポンプ１３には、そのとき使用すべき洗浄水が汲み込まれるようになっている。
【００２５】
ポンプ１３は、貯湯タンク１０側から接続管１２を介して汲み込んだ洗浄水を、ノズルリンク８に至る送水管１４へと送り出す。このポンプ１３の動作を制御することにより、送水管１４を介してノズルリンク８から被洗髪者Ｈの頭部および髪に噴射される洗浄水の勢いを調節できるようになっている。また、送水管１４の途中には、複数の電磁弁を有する電磁弁装置１５が設けられている。この電磁弁装置１５の各電磁弁の開閉を制御することにより、ノズルリンク８のノズル８１Ｌ，８１Ｃ，８１Ｒのうちの所望のノズルから洗浄水を噴射させることができるようになっている。
【００２６】
シンク２の底面には、ノズルリンク８から噴射された洗浄水やハンドシャワー１６から放水された水を排出するための排水口２Ｂが形成されている。この排水口２Ｂは、逆流を防止するための排水トラップ１７を介して排水管１８に接続されており、シンク２内から排出された水は、排水管１８を通って機外に排水されるようになっている。
シンク２の周面壁の手前側には、洗髪中に被洗髪者Ｈの首とネック台２Ａとの隙間を通ってシンク２外に洗浄水が漏れ出した場合に、その洗浄水を受けるための漏水受け部１９が設けられている。この漏水受け部１９は、その底面が手前側に向かって低くなるように傾斜していて、その底面の最も低い位置には、排出口１９Ａが形成されている。
【００２７】
漏水受け部１９の排出口１９Ａの下方には、排出口１９Ａから排出された洗浄水を受けるためのドレンパン２１が配置されている。このドレンパン２１は、排水管１８に連通しており、漏水受け部１９から排出されてドレンパン２１に受けられた洗浄水は、排水管１８を通って機外に排出されるようになっている。
また、貯湯タンク１０の上部には、この貯湯タンク１０内に一定量以上の温水が供給された場合に、その一定量以上の温水をタンク１０外に排出するためのオーバーフロー排出口１０Ａが形成されている。このオーバーフロー排出口１０Ａから排出された温水も、ドレンパン２１に受けられて、排水管１８を通って機外に排出されるようになっている。
【００２８】
貯湯タンク１０の手前側には、この自動洗髪機１における電気的構成に用いられる種々の電気部品（たとえば、制御基板など）を収容した電気部品ボックス２３が配置されている。このように、電気部品ボックス２３をシンク２から離れた位置に配置することにより、電気部品に水がかかって漏電したり、電気部品が故障したりするのを防止することができる。
椅子４は、たとえば、被洗髪者Ｈが腰掛けるための座部４Ａ、被洗髪者Ｈの背中を支持するための背もたれ４Ｂと、被洗髪者Ｈの脚を支持するためのレッグレスト４Ｃとを有する構成であり、背もたれ４Ｂをシンク２側にして配置されている。洗髪を行う際は、まず、被洗髪者Ｈがシンク２に対して背を向けた状態で椅子４に座ることになる。このとき、背もたれ４Ｂは座部４Ａの延びる方向（ほぼ水平方向）に対して傾斜角度θ＝５５°で傾斜している。この状態から、背もたれ４Ｂを傾斜角度θ＝３５°まで後側に倒すことにより、被洗髪者Ｈを仰向けに寝かせることができ、被洗髪者Ｈの首をネック台２Ａに載せた状態で、その頭部をシンク２内に挿入させることができる。
【００２９】
椅子４の座部４Ａの下方には、椅子４自体の前後方向の位置、座部４Ａの高さ、背もたれ４Ｂの傾斜角度θ、およびレッグレスト４Ｃの傾斜角度などを調節するための椅子調節機構２４が配置されている。この椅子調節機構２４は、例えば油圧式の駆動機構であって、アクチュエータとしての油圧シリンダ２５、油圧シリンダ２５に供給する作動油を収容する油圧タンク２６、および油圧タンク２６内の作動油を油圧シリンダ２５に送り込むための油圧ポンプ２７とを含む。ただし、椅子調節機構２４は、油圧式のものに限らず、電動式のものであってもよい。
【００３０】
図６は、フード７の開閉について説明するための図解図である。フード７は、左斜め後方に配置されたヒンジ機構７２によって、シンク２に対して開閉自在に支持されている。
ヒンジ機構７２は、シンク２への被洗髪者の頭部の挿入方向Ｄ１に対して所定角度αで交差する水平方向Ｄ２に延びた回転軸を有しており、フード７は、その回転軸まわりに回動して、内面を側方に向けた立ち姿勢となる開状態（図６(a)に示す状態）と、開口縁部７３がシンク２の上端縁に当接した閉状態（図６(b)に示す状態）とに変位することができる。この構成により、フード７は、開状態でシンク２の左斜め後方で保持される。ゆえに、オペレータがシンク２の右側に立って手動洗髪などを行う際に、フード７が邪魔になることがなく、被洗髪者の頭頂部も上手く洗うことができる。
【００３１】
図７および図８は、フード７の形状について説明するための断面図である。フード７は、上記したように、被洗髪者Ｈの顔面を露出させるための切除部７１（図２参照）を有するドーム状に形成されている。フード７の開口縁部（下端部）７３は、フード７の内側に向けて折り曲げた形状に形成されており、この折り曲げられて内側に突出した部分７４は、フード７の半球状の内面に付着し、この内面を伝って流下する洗浄水を受けるための洗浄水受け部となっている。また、洗浄水受け部７４は、図７に示すように、シンク２の上方を覆う閉状態で、その先端縁がシンク２の上端縁よりも少し内方に位置するような幅（たとえば、１０〜１５ｍｍ）に形成されている。
【００３２】
この構成により、自動洗髪運転中は、フード７の半球状の内面を伝って流下する洗浄水を洗浄水受け部７４で受けることができ、その受けた洗浄水を洗浄水受け部７４からシンク２内に流下させることができる。よって、フード７の開口縁部７３とシンク２の上端縁との間に隙間があっても、自動洗髪運転中にフード７の内面を伝って流下する洗浄水が、そのフード７の開口縁部７３とシンク２の上端縁との間の隙間から外部に漏れ出すおそれがない。ゆえに、フード７の開口縁部７３とシンク２の上端縁との間をシールするためのパッキンなどを設ける必要がなく、このパッキンなどを設けた構成が有する問題（たとえば、パッキンのへたりや外れ、汚れなど）を生じることがない。
【００３３】
また、フード７を閉状態から開状態に移動させる過程およびフード７の開状態では、図８に示すように、フード７の内面に付着している洗浄水が、その内面を伝って、開口縁部７３のヒンジ機構７２が結合された部分付近からこぼれ落ちることを防止できる。
図９は、操作パネル３０の他の配置例について説明するための平面図である。この図９において、上述の図２に示す各部に相当する部分には、図２の場合と同一の参照符号を付している。
【００３４】
この図９に示す構成では、被洗髪者Ｈが腕を載せるためのアームレスト６０がシンク２の側方まで延びて形成されており、この長いアームレスト６０が、シンク保持部３の側面３Ａ，３Ｂと椅子保持部５の側面５Ａ，５Ｂとを構成している。そして、アームレスト６０の上面（腕載置面）であって、シンク２の右側に位置する部分に操作パネル３０が配置されている。この構成よっても、シンク２の右側に立って操作を行うオペレータは、操作パネル３０を操作しやすく、また、自動洗髪の後の仕上げのための手動洗髪をしやすい。
【００３５】
なお、アームレスト６０の上面に限らず、アームレスト６０のシンク２の右側に位置する部分に傾斜面が形成されて、この傾斜面に操作パネル３０が配置されていてもよい。
図１０は、操作パネル３０のさらに他の配置例を説明するための側面図である。この図１０においても、上述の図２に示す各部に相当する部分には、図２の場合と同一の参照符号を付している。
【００３６】
この図１０に示す構成では、シンク保持部３の右側面３Ａと椅子保持部５の右側面５Ａとを連結する外装パネル３２に操作パネル３０が配置されている。この構成によっても、オペレータが自動洗髪の後の仕上げのための手動洗髪をしやすいといった効果や、操作パネル３０の防水構造を簡素化できるという効果を奏することができる。
また、この構成では、図１１に示すように、操作パネル３０が外装パネル３２に沿って水平に延びた回動軸まわりに回動自在に支持されていて、操作パネル３０を外装パネル３２に沿った収納状態（図１１(a)に示す状態）と、外装パネル３２に対して約９０度持ち上げられて水平面にほぼ沿った使用状態（図１１(b)に示す状態）とに変位させることができるようになっている。これにより、オペレータは、操作パネル３０の表面を上に向けた使用状態にして、操作パネル３０を楽に操作することができる。
【００３７】
図１２は、操作パネル３０の第４の配置例を説明するための側面図である。この図１２においても、上述の図２に示す各部に相当する部分には、図２の場合と同一の参照符号を付している。
この図１２に示す構成では、椅子保持部５の右側面５Ａから上方にアーム３１が延びており、このアーム３１の上端に、操作パネル３０が操作ボタンなどが配置された表面を上に向けた状態に取り付けられている。この構成であっても、オペレータは、シンク２の右側のシンク２に近い位置に立つことができ、この位置に立って、操作パネル３０の操作および自動洗髪の後の仕上げのための手動洗髪を楽に行うことができる。また、操作パネル３０に洗浄水がかかるおそれがないから、操作パネル３０の防水構造を簡素化できるという効果も奏する。
【００３８】
図１３は、操作パネル３０の第５の配置例を説明するための側面図である。この図１３においても、上述の図２に示す各部に相当する部分には、図２の場合と同一の参照符号を付している。
この図１３に示す構成では、外装パネル３２に形成された穴３２１からワイヤ３３が延びており、このワイヤ３３の先端に、操作パネル３０が機械的および電気的に接続されている。操作パネル３０は、非使用状態では、外装パネル３２に設けられたフック３４に掛けられている。この構成であっても、オペレータは、シンク２の右側のシンク２に近い位置に立つことができ、この位置に立って、自動洗髪の後の仕上げのための手動洗髪を楽に行うことができる。また、操作パネル３０は、ワイヤードリモコンの形態をなしているから、シンク２から少し離れた位置でも操作することができる。
【００３９】
図１４は、フード７の他の取付構成について説明するための図である。この図１４において、上述の図６に示す各部に相当する部分には、図６の場合と同一の参照符号を付している。
この図１４に示す構成では、フード７は、シンク２の左側方に配置されたヒンジ機構７２によって支持されており、開口縁部７３がシンク２の上端縁に当接した閉状態から、シンク２の左側方で被洗髪者の頭部の挿入方向と平行に延びた回転軸線まわりにフード７の右側を持ち上げることにより、シンク２の上方を開放する開状態にすることができるようになっている。この構成であっても、オペレータがシンク２の右側に立って手動洗髪などを行う際に、フード７が邪魔になることがなく、被洗髪者の頭頂部も上手く洗うことができる。
【００４０】
図１５は、フード７のさらに他の取付構成について説明するための図である。この図１５において、上述の図６に示す各部に相当する部分には、図６の場合と同一の参照符号を付している。
この図１５に示す構成では、シンク２の下方に、フード収容部２２が形成されており、フード７は、シンク２の上方を覆った閉状態（図１５(a)に示す状態）から、シンク２の後方で左右方向（シンク２への被洗髪者の頭部の挿入方向に直交する方向）に水平に延びた回転軸２８を中心に後方へ回動して、シンク２の上方を開放し、さらにフード収容部２２内に収容されるようになっている（図１５(b)参照）。この構成によれば、オペレータが手動洗髪などを行う際には、フード７をフード収容部２２に収容しておくことができるから、フード７が作業の邪魔になることがない。
【００４１】
図１６は、フード７の第４の取付構成について説明するための図である。この図１６において、上述の図６に示す各部に相当する部分には、図６の場合と同一の参照符号を付している。
この図１６に示す構成では、シンク２の上方を覆った閉状態（図１６(a)に示す状態）のフード７を、前部を上方に持ち上げて、シンク２の後方へ移動させ、さらに、そのフード７をシンク２の左斜め後方へ移動させることができるようになっている。
【００４２】
具体的には、フード７を開閉可能に保持するヒンジ機構１００は、シンク２の左側方において鉛直に延びた第１の回転軸１０１を中心に回動可能に取り付けられた水平回動アーム１０２を有している。この水平回動アーム１０２は、中心角が約９０度の円弧状に形成されており、この水平回動アーム１０２の先端に、フード７が水平に延びた第２の回転軸まわりに回動可能に取り付けられている。この構成により、シンク２の上方を覆った閉状態のフード７を、前部を上方に持ち上げて、第２の回転軸まわりに回転させることにより、シンク２の後方へ移動させることができる（図１６(b)参照）。そして、さらに水平回動アーム１０２を第１の回転軸１０１まわりに回転させることにより、フード７をシンク２の左斜め後方へ移動させることができる（図１６(c)参照）。ゆえに、オペレータがシンク２の右側に立って手動洗髪などを行う際に、フード７が作業の邪魔になることがない。
【００４３】
図１７は、フード７の第５の取付構成について説明するための図である。この図１７において、上述の図６に示す各部に相当する部分には、図６の場合と同一の参照符号を付している。
この図１７に示す構成では、シンク２の上方を覆った閉状態（図１７(a)に示す状態）のフード７を、前部を上方に持ち上げて、シンク２の後方へ移動させ、さらに、そのフード７を左側に倒すことができるようになっている。
【００４４】
具体的には、フード７を開閉可能に保持するヒンジ機構１１０は、シンク２の後方へ延びて、その中心軸まわりに回動可能な支持軸１１１と、この支持軸１１１の先端に、支持軸１１１と直交する方向に回動可能に取り付けられたフード連結部材１１２とを含む自在継手を有する構成であり、フード連結部材１１２にフード７が固定されている。フード７がシンク２の上方を覆った閉状態で、フード連結部材１１２の回動軸線がシンク２の後方で水平な方向に延びるようになっている。
【００４５】
この構成により、シンク２の上方を覆った閉状態のフード７を、前部を上方に持ち上げて、フード連結部材１１２の回動軸線まわりに回転させることにより、シンク２の後方へ移動させることができる（図１７(b)参照）。そして、さらに支持軸１１１を図１７における反時計まわりに回転させることにより、フード７を左側に倒すことができる（図１７(c)参照）。ゆえに、オペレータがシンク２の右側に立って手動洗髪などを行う際に、フード７が作業の邪魔になることがない。
【００４６】
以上、この発明のいくつかの実施形態について説明したが、この発明はさらに他の形態で実施することも可能である。たとえば、自動洗髪機１は、シンク２を保持するシンク保持部３と、被洗髪者Ｈが座るための椅子４を保持する椅子保持部５とを有しているとしたが、椅子４は、理髪店などに備えられている既存のものが使用されてもよい。この場合、操作パネル３０は、図１８に示すように、シンク保持部３の右側面３Ａに配置されてもよいし、図１９に示すように、シンク保持部３の右側面３Ａから上方に延びたアーム３５の上端に、操作パネル３０が操作ボタンなどが配置された表面を上に向けた状態で取り付けられることにより設けられてもよい。シンク保持部の右側面３Ａに配置される場合には、操作パネル３０は、その右側面３Ａに沿って水平に延びた回動軸まわりに回動自在に取り付けられて、操作パネル３０を右側面３Ａに沿った収納状態と、右側面３Ａに対して約９０度持ち上げられて水平面にほぼ沿った使用状態とに変位させることができるようにされることが好ましい。こうすることにより、オペレータは、操作パネル３０の表面を上に向けた使用状態にして、操作パネル３０を楽に操作することができる。
【００４７】
その他、特許請求の範囲に記載された事項の範囲で種々の設計変更を施すことが可能である。
【図面の簡単な説明】
【図１】この発明の一実施形態に係る自動洗髪機の使用状態を示す側面図である。
【図２】上記自動洗髪機の使用状態を示す平面図である。
【図３】上記自動洗髪機の内部構成を簡略化して示す断面図である。
【図４】ノズルリンクの構成を説明するための図解図である。
【図５】上記ノズルリンクに配置された中央のノズルからの噴射される洗浄水の水流分布を説明するための図である。
【図６】フードの開閉について説明するための図解図である。
【図７】上記フードの形状について説明するための断面図である。
【図８】上記フードに洗浄水受け部が形成されていることによる効果について説明するための断面図である。
【図９】操作パネルの他の配置例（第２の配置例）について説明するための平面図である。
【図１０】操作パネルのさらに他の配置例（第３の配置例）を説明するための側面図である。
【図１１】図１０に示す構成に係る操作パネルの収納状態および使用状態を図解的に示す断面図である。
【図１２】操作パネルの第４の配置例を説明するための側面図である。
【図１３】操作パネルの第５の配置例を説明するための側面図である。
【図１４】フードの他の取付構成について説明するための図である。
【図１５】フードのさらに他の取付構成について説明するための図である。
【図１６】フードの第４の取付構成について説明するための図である。
【図１７】フードの第５の取付構成について説明するための図である。
【図１８】第１の変形例について説明するための図である。
【図１９】第２の変形例について説明するための図である。
【符号の説明】
１      自動洗髪機
２      シンク
３Ａ    右側面
４      椅子
５      椅子保持部
５Ａ    右側面
６      アームレスト
６Ａ    傾斜面
７      フード
２２    フード収容部
３０    操作パネル
３１    アーム
３２    外装パネル
３５    アーム
６０    アームレスト
７２    ヒンジ機構
７３    開口縁部
７４    洗浄水受け部
１００  ヒンジ機構
１１０  ヒンジ機構
Ｄ１    挿入方向
Ｈ      被洗髪者
【図１】
0004000270.tif 000002
【図２】
0004000270.tif 000003
【図３】
0004000270.tif 000004
【図４】
0004000270.tif 000005
【図５】
0004000270.tif 000006
【図６】
0004000270.tif 000007
【図７】
0004000270.tif 000008
【図８】
0004000270.tif 000009
【図９】
0004000270.tif 000010
【図１０】
0004000270.tif 000011
【図１１】
0004000270.tif 000012
【図１２】
0004000270.tif 000013
【図１３】
0004000270.tif 000014
【図１４】
0004000270.tif 000015
【図１５】
0004000270.tif 000016
【図１６】
0004000270.tif 000017
【図１７】
0004000270.tif 000018
【図１８】
0004000270.tif 000019
【図１９】
0004000270.tif 000020